(57)【特許請求の範囲】
【請求項１】
枠と、枠に開閉自在に支持した障子を備え、枠は、竪枠と、竪枠の内周側に設けた竪枠補助材を有し、竪枠補助材は、長手方向の中間部に竪枠と竪枠補助材間の中空部内に外気を導入する外気導入口を設けてあり、外気導入口は、下枠と下框間の隙間から竪框と竪枠補助材間に導入された外気を竪枠と竪枠補助材間の中空部内に導入するものであることを特徴とするサッシ。
【発明の詳細な説明】
【技術分野】
【０００１】
本発明は、サッシに関する。
【背景技術】
【０００２】
従来より、図５（ａ）（ｂ）に示すように、竪枠９０の内周側に窓種に合った竪枠補助材９１ａ，９１ｂを設けることで、障子９２が開閉する窓（図５（ａ））と枠にガラス９３を固定した嵌め殺し窓（図５（ｂ））とで竪枠９０を兼用したり、障子９２が開閉する窓と嵌め殺し窓とを段窓にしたりすることが知られている。竪枠補助材９１ａ，９１ｂの室外側端部と竪枠９０との接触部９４は、金属同士が接触するいわゆるメタルタッチのため、台風のような強い雨風のときには、このメタルタッチの接触部９４から雨水が竪枠９０と竪枠補助材９１ａ，９１ｂ間の中空部９５内に浸入する。特に室内側の気圧が室外側よりも低いと雨水が中空部９５内に浸入しやすく、竪枠補助材９１ａ，９２ｂの下端と横枠との接触部などから室内に漏水するおそれがあった。
【発明の概要】
【発明が解決しようとする課題】
【０００３】
本発明は以上に述べた実情に鑑み、竪枠の内周側に竪枠補助材を設けたサッシの止水性の向上を目的とする。
【課題を解決するための手段】
【０００４】
上記の課題を達成するために請求項１記載の発明によるサッシは、枠と、枠に開閉自在に支持した障子を備え、枠は、竪枠と、竪枠の内周側に設けた竪枠補助材を有し、竪枠補助材は、長手方向の中間部に竪枠と竪枠補助材間の中空部内に外気を導入する外気導入口を設けてあり、外気導入口は、下枠と下框間の隙間から竪框と竪枠補助材間に導入された外気を竪枠と竪枠補助材間の中空部内に導入するものであることを特徴とする。
【発明の効果】
【０００５】
請求項１記載の発明によるサッシは、竪枠補助材の長手方向中間部に竪枠と竪枠補助材間の中空部内に外気を導入する外気導入口を設けたことで、竪枠と竪枠補助材間の中空部内が外気と等圧になるため、竪枠と竪枠補助材との室外側のメタルタッチの接触部から中空部内への雨水の浸入を抑えることができ、たとえ中空部内に雨水が浸入したとしても、雨水は室内側に引っ張られることなく下方に排水されるため、室内への漏水を防止できる。
【図面の簡単な説明】
【０００６】
【図１】本発明のサッシの一実施形態に係るたてすべり出し窓の縦断面図である。
【図２】同たてすべり出し窓の横断面図である。
【図３】図１のＡ−Ａ断面図である。
【図４】（ａ）は気密ブロックの平面図、（ｂ）は気密ブロックの内周側側面図である。
【図５】竪枠の内周側に竪枠補助材を設けたサッシの従来例を示す横断面図であって、（ａ）はたてすべり出し窓の場合、（ｂ）は嵌め殺し窓の場合を示す。
【発明を実施するための形態】
【０００７】
以下、本発明の実施の形態を図面に基づいて説明する。図１〜３は、本発明のサッシの一実施形態であって、ビル用のたてすべり出し窓を示している。本サッシは、躯体開口部に取付けられる枠１と、枠１に開閉自在に支持した障子２とを備えている。
枠１は、アルミニウム合金の押出形材よりなる上枠７と下枠８と左右の竪枠３，３とを四方枠組みし、左右の竪枠３，３の内周側にアルミニウム合金の押出形材よりなる竪枠補助材４，４を取付けて構成してある。
障子２は、アルミニウム合金の押出形材よりなる上框９と下框１０と吊元框１１と戸先框１２とを四周框組みし、各框の内周側に形成した溝１３内にガラスパネル１４の周縁部を嵌め込んで固定したものとなっている。障子２は、図１に示すように、上枠７と上框９間及び下枠８と下框１０間に設けたフリクションステー１５ａ，１５ｂにより枠１に連結され、図２に仮想線で示すように、室外側にすべり出しつつ縦軸回りに約９０°回動して開くようになっている。枠１と障子２間の隙間は、タイト材１６ａ，１６ｂ，１６ｃ，１６ｄ，１６ｅにより塞いである。
【０００８】
竪枠３は、図２に示すように、略Ｈ型の断面形状を成しており、竪枠３の内周側に開口した溝１７内に竪枠補助材４が内周側から嵌め込まれ、竪枠３と竪枠補助材４間に中空部５が形成されている。
竪枠補助材４は、見込壁１８と、見込壁１８の外周側に室内外方向に間隔をおいて突設した複数の外向き突条１９ａ，１９ｂ，１９ｃと、見込壁１８の室内側寄りの位置に内周側に突設した内向き突条２０を有している。外向き突条１９ａ，１９ｂ，１９ｃは、先端が竪枠３の見込壁２１に当接しており、中間の外向き突条１９ｂの先端部にタイト材ホルダー２２を設けてタイト材２３が取付けてあり、タイト材２３が竪枠３の見込壁２１に密着している。内向き突条２０の先端部には、タイト材ホルダー２４を設けてタイト材１６ｅが取付けてあり、タイト材１６ｅが障子２の室内側面に当接している。
竪枠補助材４の見込壁１８には、図１，２に示すように、室内外方向の略中央部の長手方向中間部上枠７寄りの位置に、外気導入口６が上下方向の長孔状に設けてある。この外気導入口６から竪枠３と竪枠補助材４間の中空部５内に外気が導入されることで、竪枠３と竪枠補助材４間の中空部５内が外気と等圧になるため、竪枠３と竪枠補助材４との室外側のメタルタッチの接触部２５から中空部５内への雨水の浸入を抑えることができる。仮に中空部５内に雨水が浸入したとしても、中空部５内が外気と等圧になっていることで、浸入した雨水が室内外の気圧差により室内側に吸い込まれることなく下方に流下し、下枠８上面を伝い下枠補助材４の下端部に形成した切欠き２６（図１参照）より室外に排出される。
【０００９】
下枠８は、図１に示すように、室内側が高くなった階段状を成しており、竪枠補助材４の下部は、この階段状の下枠８上面に沿うように切欠かれ、その下端４ａを下枠上面８ａに当接させている。竪枠補助材４と下枠８とが交差するコーナー部には、ゴム製の気密ブロック２７が設けてある。気密ブロック２７は、図４（ａ）に示すように、竪枠３と竪枠補助材４の見込壁２１，１８と竪枠補助材４の中間及び室内側の外向き突条１９ｂ，１９ｃとで囲まれるスペースよりも少し大きい断面積を有し、且つ図４（ｂ）に示すように、竪枠補助材４の下端４ａよりも１ｍｍ程度下方にはみ出すように設けてある。気密ブロック２７の上面２７ａは、室外側が低くなるように傾斜している。
この気密ブロック２７を竪枠補助材４の下部の外向き突条１９ｂ，１９ｃ間に押し込んで保持させた後、竪枠補助材４を竪枠３の内周側に取付けると、図３に示すように、竪枠補助材４の下端４ａよりはみ出した気密ブロック２７の下端部２７ｂが、竪枠補助材４の見込壁１８及び外向き突条１９ｂ，１９ｃの下端と下枠上面８ａとの間に押し潰された状態で挟み込まれる。これにより竪枠補助材４の下端４ａと下枠上面８ａとの間の隙間２８がシールされ、竪枠３と竪枠補助材４間の中空部５内に雨水が浸入したとしても、室内側に雨水が漏水することがない。なお図１，３では、分かりやすくするために竪枠補助材４の下端４ａと下枠上面８ａとの間の隙間２８を誇張して示しており、実際には当該隙間２８はほとんど見えないくらいの僅かなもので、気密ブロック２７は竪枠補助材４の下端４ａと下枠上面８ａとのメタルタッチを回避し、室内側に雨水がしみ出すのを防ぐものである。なお気密ブロック２７は、竪枠補助材４の下部の外向き突条１９ｂ，１９ｃ間に単に押し込んで保持させてもよいが、両面テープ等で接着して竪枠補助材４に取付けてもよい。
【００１０】
本サッシは以上に述べたように、竪枠補助材４の長手方向中間部に竪枠３と竪枠補助材４間の中空部５内に外気を導入する外気導入口６を設けたことで、竪枠３と竪枠補助材４間の中空部５内が外気と等圧になるため、竪枠３と竪枠補助材４との室外側のメタルタッチの接触部２５から中空部５内への雨水の浸入を抑えることができる。仮に中空部５内に雨水が浸入したとしても、中空部５内が外気と等圧になっていることで、浸入した雨水が室内外の気圧差により室内側に吸い込まれることなく下方に流下し、下枠上面８ａを伝い下枠補助材４の下端部に形成した切欠き２６より室外に排出される。外気導入口６を、竪枠補助材４の中間部の上枠７寄りの位置に設けたことで、竪枠３と竪枠補助材４間の中空部５内が外気と等圧になりやすい。
さらに本サッシは、竪枠補助材４の下部の室内側の中空部５内に気密ブロック２７を設け、竪枠補助材４の下端４ａと下枠上面８ａ間に気密ブロックの下端部２７ｂを挟み込んでいるため、竪枠補助材４の下端４ａと下枠上面８ａ間から室内に雨水が漏水することがなく、上述のように竪枠３と竪枠補助材４間の中空部５内を外気と等圧にしたことと相まって止水性能を大きく向上することができ、１０００Ｐａの止水性能を得ることが可能となる。
【００１１】
本発明は以上に述べた実施形態に限定されない。障子の開き方は任意であり、たてすべり出し窓に限らず、開き窓や突き出し窓、外倒し窓等とすることもできる。障子は、室内側に開くものであってもよい。竪枠補助材の外気導入口は、長手方向に間隔をおいて複数設けたり、上部と下部の２箇所に設けたりすることもできる。外気導入口の形状は任意であり、長孔状に設けたものの他、切欠き状に設けることもできる。横枠は、無目であってもよい。
【符号の説明】
【００１２】
１  枠
２  障子
３  竪枠
４  竪枠補助材
５  中空部
６  外気導入口
【図１】
0005689389.tif 000002
【図２】
0005689389.tif 000003
【図３】
0005689389.tif 000004
【図４】
0005689389.tif 000005
【図５】
0005689389.tif 000006